(57)【特許請求の範囲】
【請求項１】
配線基板に表面実装される側面発光型の発光装置であって、
反射ケースと該反射ケースの後部の端子保持部とを一体成形してなる基体部と、
該基体部へインサートされるリード部材であって、前記基体部の下面から引き出されて該下面に沿って折り曲げられる接続部基部と、該接続部基部に設けられて前記端子保持部の側面に沿って折り曲げられる側面折り曲げ部とを有し、前記配線基板のパターンへ接続する一対の接続部を有するリード部材と、
を備える発光装置において、
前記接続部基部に前記端子保持部の下面の中央に向かって膨出する膨出部が設けられ、
前記端子保持部の下面に前記膨出部を収容する第１切り欠き部が設けられ、
前記端子保持部の側面に前記側面折り曲げ部を収容する第２切り欠き部が、該端子保持部の前記下面からその上面まで達するように、設けられ、
前記リード部材にて前記基体部の下面から引き出された部分である引き出し部は、折り曲げられて前記接続部基部となる引き出し部基部と、折り曲げられて前記側面折り曲げ部となる第１先端部と、折り曲げられて前記膨出部となる第２先端部とを有し、
前記リード部材を折り曲げる前の状態にて、前記引き出し部はＴ字形状であって、前記第１先端部と前記第２先端部とが直線状に形成され、
前記接続部基部の下面及び前記膨出部の下面は、前記反射ケースの下面と面一である、発光装置。
【請求項２】
前記膨出部は前記接続部基部の先端に設けられる、請求項１に記載の発光装置。
【発明の詳細な説明】
【技術分野】
【０００１】
本発明は配線基板に表面実装される側面発光型の発光装置に関する。
【背景技術】
【０００２】
上記タイプの発光装置の例が特許文献１に示されている。この発光装置は前方が開口し、平面状の底部を有する反射ケースの両側部からリード部材が引き出され、反射ケースの後部には端子保持部が一体的に設けられる。リード部材において反射ケースから引き出された部分は、反射ケースの側部から端子保持部の側面に沿って折り曲げられ、さらに端子保持部の下面に沿って折り曲げられて、その先端が接続部として切り欠き部に収納される。
一方、特許文献２には、リード部材が発光装置の反射ケースの下面から引き出されて、端子保持部の下面に沿って折り曲げられた側面発光型の発光装置が開示されている。また、特許文献３には、発光装置の反射ケースの下部から引き出されて、端子保持部の下面に沿って折り曲げられたリード部材が、さらに端子保持部の側面に沿って折り曲げられる構成が開示されている。
【０００３】
【特許文献１】特開２００６−２５３５５１号公報
【特許文献２】意匠登録１１７１７０８号公報
【特許文献３】意匠登録１２８８０５８号公報
【発明の開示】
【発明が解決しようとする課題】
【０００４】
昨今の発光装置には高出力化が要求されている。そのため、発光装置は高出力のＬＥＤチップを実装する傾向にある。高出力のＬＥＤチップは大きな発熱を伴う。ＬＥＤチップ自体が高温になると、その出力が低下するので好ましくない。そこでＬＥＤチップからの熱引きを効率よく行なう必要がある。ところで、側面発光型の発光装置は携帯電話のディスプレイなどの光源として利用されるため、小型であることが求められる。そのため、ヒートシンクなどの放熱部材を使用せずに、ＬＥＤチップがマウントされるリード部材を介して配線基板等に熱を伝播して放熱を行っている。特許文献１の発光装置では反射ケースの両側部からリード部材が引き出されるが、側面発光型の発光装置は横方向に長いため、放熱経路が長くなって放熱効果が低い。一方、特許文献２、３の発光装置では、反射ケースの下面からリード部材が引き出されるため放熱経路は短い。しかし、発光装置の小型化に伴い、リード部材の引き出し部も小さくなるため、リード部材と配線基板との接触面積が相対的に小さくなり、十分な放熱効果が得られない。
そこで、本発明は、側面発光型の発光装置において、小型で、かつ、放熱効果の高い構成を提供することを目的とする。
【課題を解決するための手段】
【０００５】
この発明は上記目的を達成するためになされたものであり、その構成は次のように規定される。
配線基板に表面実装される側面発光型の発光装置であって、
反射ケースと該反射ケースの後部の端子保持部とを一体成形してなる基体部と、
該基体部へインサートされるリード部材であって、前記基体部の下面から引き出されて該下面に沿って折り曲げられる接続部基部と、該接続部基部に設けられて前記端子保持部の側面に沿って折り曲げられる側面折り曲げ部とを有し、前記配線基板のパターンへ接続する一対の接続部を有するリード部材と、
を備える発光装置において、
前記接続部基部に前記端子保持部の下面の中央に向かって膨出する膨出部が設けられ、
前記端子保持部の下面に前記膨出部を収容する第１切り欠き部が設けられ、
前記端子保持部の側面に前記側面折り曲げ部を収容する第２切り欠き部が設けられ、
前記リード部材にて前記基体部の下面から引き出された部分である引き出し部は、折り曲げられて前記接続部基部となる引き出し部基部と、折り曲げられて前記側面折り曲げ部となる第１先端部と、折り曲げられて前記膨出部となる第２先端部とを有し、
前記リード部材を折り曲げる前の状態にて、前記引き出し部はＴ字形状であって、前記第１先端部と前記第２先端部とが直線状に形成されている発光装置。
【０００６】
このように構成された発光装置では、リード部材は端子保持部の下面の中央に向かって膨出する膨出部を備える。膨出部はリード部材と一体であるため、膨出部を配線基板に接触させることで放熱効果が高まる。即ち、膨出部は放熱板としての役割を果たす。この膨出部は端子保持部の下面の切り欠き部に収容されて外部に突出しないため、装置の小型化が図られる。また、リード部材に外的力が過度にかかることが防止され、リード部材の曲がりや破損が低減する。また、膨出部はリード部材と配線基板とを接続する接続部の一部であるため、リード部材の接続部と配線基板との接続面積が増すこととなる。これにより、発光装置を実装する位置が多少ずれたとしてもこれが許容されるので、実装が容易となる。その結果、取り付け作業性が高まり、歩留まりが向上する。
【０００７】
この発明の第２の局面は次のように規定される。即ち、
第１の局面に規定の発光装置において、接続部基部の下面及び前記膨出部の下面が反射ケースの下面と面一となる。
このように規定された第２の局面の発明によれば、接続部が装置の下部から突出しない。これにより、発光装置の光出射領域を確保しつつ、装置全体を薄型に構成することができる。
【０００８】
この発明の第３の局面は次のように規定される。即ち、第１又は第２の局面で規定される発光装置において、前記膨出部は前記接続部基部の先端に設けられる。
このように規定された第３の局面の発明によれば、膨出部は、接続部基部の折り曲げ部（即ち、反射ケースから引き出された根元部）から十分離れた位置に設けられる。
側面発光型の発光装置はもっぱら携帯電話の照明光源として使用されることが多いので、全体の大きさが規制される。その結果、一般的に樹脂成形される基体部も薄肉の部材になりやすい。かかる基体部において引き出された接続部基部を折り曲げる時に要求される力が大きくなると、基体部に過度の力がかかって機械的強度が低下するおそれがある。そこで、膨出部を接続部基部の折り曲げ部から十分離れた位置に設けることにより、当該折り曲げ部の幅が膨出部によって拡大されないため、接続部基部を折り曲げるときに要求される力が大きくならない。これにより、基体部の機械的強度の低下が防止される。
【発明を実施するための最良の形態】
【０００９】
以下、この発明の実施の形態につき図例を参照しながら説明をする。
図１（Ａ）は実施例の発光装置１を正面から見た斜視図であり、同じく図１（Ｂ）は底面からみた斜視図である。図２は六面図であり、（Ａ）は平面図、（Ｂ）は左側面図、（Ｃ）は正面図、（Ｄ）は右側面図、（Ｅ）は底面図、（Ｆ）は背面図である。また、図３は図２（Ｃ）におけるI-I線断面図、図４は図２（Ｃ）におけるII-II線断面図、図５は図２（Ｃ）におけるIII-III線断面図である。
図１（Ｂ）に示すように、実施例の発光装置１は基体部１０、第１のリード部材３、及び第２のリード部材４を備えてなる。
基体部１０は反射ケース１１と端子保持部２０とからなる。図３に示すように、反射ケース１１は横長なカップ形状であり、その凹部１３の内周面が反射面となっている。凹部１３にはシリコーン樹脂系の封止部材が充填され封止部７０が形成されている。
凹部１３の内周面は側壁部分１５１と底部１５３とを有し、底部１５３では、リード部材３、４のインサート部３１、４１が露出している。さらに、反射ケース１１の構成材料を樹脂材料とし、かかる樹脂材料でインサート部３１、４１を被覆することにより、シリコーン樹脂からなる封止部材に対する樹脂―樹脂の接触面積を増大させ、もって封止部材による密着を向上させることができる。また、凹部１３の内周面を白色塗料等でコーティングすることができる。
【００１０】
図２（Ｅ）に示すように端子保持部２０は反射ケース１１の後側に当該反射ケース１１と一体に形成されており、全体が中実である。端子保持部２０の側面には２つの切り欠き２３、２４が形成されている。端子保持部２０の下面（底面側）にはその両側部から中央に向かう切り欠き２５、２６が形成されている。
第１リード部材３は、インサート部３１、接続部３０を備える。図３に示すように、インサート部３１は基体部１０の左右方向に約３／４の長さを有する。インサート部３１において反射ケース１１のほぼ中央に位置する部分にＬＥＤチップ６０が周知の方法でマウントされている。第１のリード部材３において基体部１０から外部へ引き出された部分が接続部３０となる。図２（Ｅ）に示すように、接続部３０は接続部基部３２と、当該接続部基部３２の先端に設けられる側面折り曲げ部３３と膨出部３４とを備える。側面折り曲げ部３３と膨出部３４は折り曲げ前の状態において、直線状に形成されている。即ち、接続部３０はＴ字形状を有する。まず、接続部基部３２が端子保持部２０の下面に沿って下側（背面側）へ折り曲げられて、接続部３０の先端の膨出部３４が端子保持部２０の切り欠き２５に収容される。次に側面折り曲げ部３３が端子保持部２０の側面に沿って折り曲げられて、第１の切り欠き２３内に収納される。発光装置１を上面から観察すると、図２（Ａ）に示すように側面折り曲げ部３３の上端部が端子保持部２０の側方に位置している。発光装置１を正面から観察すると、図２（Ｃ）に示すように、側面折り曲げ部３３は反射ケース１１の右側面に沿って若干外側にはみ出している。発光装置１を右側面側から観察すると、図２（Ｄ）に示すように、側面折り曲げ部３３は発光装置１の右側面に露出している。図２（Ｄ）において、側面折り曲げ部３３の高さは発光装置１の高さ（厚さ）の２分の１よりも若干高い。発光装置１を背面から観察すると、図２（Ｆ）に示すように接続部３０はＬ字状であって、発光装置１の外縁の一部となっている。一方、膨出部３４は図２（Ｅ）に示すように、端子保持部２０の下面の中央側へ膨出している。
【００１１】
第２のリード部材４はインサート部４１及び接続部４０を備えてなる。インサート部４１は図３に示すように基体部１０の左右方向に約１／４の長さを有する。
第２のリード部材４において基体部１０から引き出された部分が接続部４０となる。第１のリード部材３の接続部３０と同様に、接続部４０は図２（Ｅ）に示すように接続部基部４２と、接続部基部４２の先端に設けられる側面折り曲げ部４３と膨出部４４とを備える。接続部基部４２は端子保持部２０の下面に沿って下側（背面側）へ折り曲げられ、膨出部４４が端子保持部２０の切り欠き２６に収容される。次に側面折り曲げ部４３が端子保持部２０の側面に沿って折り曲げられて、第２の切り欠き２４内に収納される。発光装置１を上面から観察すると、図２（Ａ）に示すように側面折り曲げ部４３の上端部が端子保持部２０の側方に位置している。発光装置１を正面から観察すると、図２（Ｃ）に示すように、側面折り曲げ部４３は反射ケース１１の左側面に沿って若干外側にはみ出している。発光装置１を左側面側から観察すると、図２（Ｂ）に示すように、側面折り曲げ部４３は発光装置１の左側面に露出している。図２（Ｂ）において、側面折り曲げ部４３の高さは、側面折り曲げ部３３と同様に発光装置１の高さ（厚さ）の２分の１よりも若干高い。発光装置１を背面から観察すると、図２（Ｆ）に示すように接続部４０はＬ字状であって、発光装置１の外縁の一部となっている。一方、膨出部４４は図２（Ｅ）に示すように、端子保持部２０の下面の中央側へ膨出している。
【００１２】
上記において、基体部１０はナイロン等の樹脂材料やセラミックス等の無機材料を用いて形成することができる。基体部１０はその成形材料を白色系として材料自体に反射性能を持たせることができる。
リード部材３、４には銅板またはＡｌを採用することできる。本実施例においては、リード部材３、４による反射を良好とするため、表面にＡｇメッキが施されている。
ＬＥＤチップ６０には短波長の光を発光するIII族窒化物系化合物半導体発光素子などを用いる。このＬＥＤチップ６０へ適当な蛍光体を組み合わせることにより白色発光が得られる。この実施例ではＬＥＤチップとして青色発光ダイオードと青色光を吸収して黄色系の光を放出する蛍光体とを選択している。ＬＥＤチップの発光色は任意に選択することができる。また、複数のＬＥＤチップをリード部材へマウントすることもできる。
【００１３】
実施例の発光装置１は次のようにして製造される。
銅板をプレス打ち抜きして、接続部３０、４０が展開された状態のリード部材３及び４を得る。そして、このリード部材３及び４をインサートとして基体部１０を射出成形する。その後、ＬＥＤチップ６０を第１のリード部材３へマウントし、ワイヤ６３及び６４をボンディングする。ＬＥＤチップ６０及びワイヤ６３、６４は耐久性の観点から透光性のシリコーン樹脂で封止される。このシリコーン樹脂中に蛍光体を分散させることもできる。その後、銅板を切りわけて図６の状態とする
【００１４】
図６に示すように、第１のリード部材３において、基体部１０の下面の紙面右側の下方向に引き出し部１３０が引き出される。引き出し部１３０はＴ字形状で、引き出し部基部１３２、先端部１３３、１３４を備える。まず、引き出し部基部１３２が端子保持部２０の下面に沿って折り曲げられて接続部基部３２となる。これと同時に、先端部１３４が端子保持部２０の下面の中央に向かう切り欠き２５に収容され、膨出部３４となる。ここで切り欠き２５の深さは膨出部３４の厚さよりも若干大きく、膨出部３４の下面は、図２（Ｃ）に示すように反射ケース１１の下面と面一となる。次に先端部１３３が端子保持部２０の側面に沿って折り曲げられて側面折り曲げ部３３となり、図２（Ｄ）に示すように発光装置１の右側面に露出する。第２のリード部材４においても、第１のリード部材３と同様に、引き出し部基部１４２、先端部１４３、１４４を備えるＴ字状の引き出し部１４０が引き出され、順次折り曲げられて、接続部基部４２、側面折り曲げ部４３及び膨出部４４が形成される。側面折り曲げ部４３は、図２（Ｂ）に示すように発光装置１の左側面に露出する。また、膨出部３４と同様に膨出部４４の下面も反射ケース１１の下面と面一となる（図２（Ｃ）参照）。
【００１５】
このように製造される発光装置１によれば、配線基板（図示せず）に実装した状態において、膨出部３４、４４が配線基板に接触するため放熱効果が高まる。即ち、膨出部３４、４４が放熱板として機能する。膨出部３４、４４は端子保持部２０の下面の切り欠き２５、２６に収容されており外部に突出しないため、発光装置１の小型化に寄与している。また、リード部材３、４に外的力が過度にかかることが防止され、リード部材３、４の曲がりや破損が低減する。また、膨出部３４、４４は接続部３０、４０の一部であるため、このような膨出部３４、４４を設けることで、接続部３０、４０と配線基板との接続面積が増すこととなる。これにより、発光装置１の実装位置のズレの許容量が大きく、実装が容易である。その結果、取り付け作業性が高く、歩留まりが向上する。
【００１６】
図２（Ｃ）に示すように、接続部基部３２、４２の下面及び膨出部３４、４４の下面が反射ケース１１の下面と面一となっている。これにより、接続部３０、４０が発光装置１の下部から突出しないため、発光装置１の光出射領域（凹部１３の開口領域）を十分確保しつつ、装置全体が薄型化される。
【００１７】
膨出部３４、４４は接続部基部３２、４２の先端に設けられるため、膨出部３４、４４は、接続部基部３２、４２の折り曲げ部（即ち、反射ケース１１から引き出された根元部）から十分離れた位置に設けられている。当該折り曲げ部の幅が膨出部３４、４４によって拡大されないため、接続部基部３２、４２を折り曲げるときに要求される力が大きくならない。これにより、基体部１０の機械的強度の低下が防止される。
【００１８】
図６に示すように、リード部材３、４を折り曲げる前の状態において、引き出し部１３０、１４０はＴ字形状であって、第１先端部１３３（１４３）と第２先端部１３４（１４４）とが直線状に形成されている。これにより、第１先端部１３３（１４３）を折り曲げて側面折り曲げ部３３、４３を形成する際の安定性が増し、側面折り曲げ部３３、４３を高精度に成形することができる。
【００１９】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【図面の簡単な説明】
【００２０】
【図１】図１はこの発明の実施例の発光装置の斜視図であり、図１（Ａ）は正面から見た斜視図、図１（Ｂ）は底面からみた斜視図である。
【図２】図２は同じく六面図であり、（Ａ）は平面図、（Ｂ）は左側面図、（Ｃ）は正面図、（Ｄ）は右側面図、（Ｅ）は底面図、（Ｆ）は背面図である。
【図３】図３は図２（Ｃ）におけるI-I線断面図である。
【図４】図４は図２（Ｃ）におけるII-II線断面図である。
【図５】図５は図２（Ｃ）におけるIII-III線断面図である。
【図６】図６は実施例の発光装置の製造過程を示す図である。
【符号の説明】
【００２１】
１ 発光装置
１０ 基体部
１１ 反射ケース
２０ 端子保持部
２３、２４ 切り欠き（第２切り欠き部）
２５、２６ 切り欠き（第１切り欠き部）
３ 第１のリード部材
４ 第２のリード部材
３０、４０ 接続部
３１、４１ インサート部
３２、４２ 接続部基部
３３、４３ 側面折り曲げ部
３４、４４ 膨出部
１３０、１４０ 引き出し部
１３２、１４２ 引き出し部基部
１３３、１４３ 第１先端部
１３４、１４４ 第２先端部
６０ ＬＥＤチップ
【図１】
0005426091.tif 000002
【図２】
0005426091.tif 000003
【図３】
0005426091.tif 000004
【図４】
0005426091.tif 000005
【図５】
0005426091.tif 000006
【図６】
0005426091.tif 000007